(57)【要約】【課題】電気集塵装置の洗浄手段および極板のメンテナンスを容易に行い、高い捕集性能を長期間持続する。【解決手段】洗浄手段１１を備えた電気集塵装置の本体１に対して、本体１の天板部分９と洗浄手段１１が一体となり天板部分９の開閉に伴って洗浄手段１１も可動する構造をとっているので、作業者は天板部分９を開けるだけで洗浄ノズル１４の噴出し部１７と対面でき、汚れや詰まりが容易に確認できる。また洗浄手段１１のメンテナンスも容易に行える。さらに、天板部分９を開けるだけで洗浄手段１１が極板の上方から離れるので、作業者は真上から帯電手段３と集塵手段４を障害物無く観察でき、メンテナンスも可能になる。【選択図】図５
2016059861.tif 000002
【特許請求の範囲】
【請求項１】
電電極と接地電極で構成する帯電手段と、荷電極板と集塵電極板で構成する集塵手段とを水平方向に風上側から順番に配置した本体と、前記本体の上部で一辺を軸として開閉自在に構成した天板部分と、前記天板部分の裏面に配置して前記荷電極板と前記集塵電極板の面を洗う洗浄手段と、前記本体側から前記洗浄手段に水を輸送する輸送管を備え、前記洗浄手段は、対向する前記荷電極板と前記集塵電極板の面に水を噴射する複数の洗浄ノズルと、前記洗浄ノズルへ水を供給する枝配管と、前記枝配管へ水を配水する主配管を備え、前記主配管は前記輸送管に継ぎ手を介して回動自在に接続され、前記天板部分の開閉に伴って前記洗浄手段も回動する電気集塵装置。
【請求項２】
前記洗浄ノズルは噴出し部、側面部、ネジ部からなり、前記側面部内側には噴出し部への流路から側面部外側へと延びる流路を設け、その先に洗浄ノズル内部の圧力増大によって外側に動き、洗浄ノズル側面部の外側に先が突出するピストンを有する洗浄ノズルを備えた請求項１記載の電気集塵装置。
【請求項３】
洗浄ノズルと枝配管の間に内部を目視できる接続部品を設けた構成を有する洗浄手段を備えた請求項１記載の電気集塵装置。
【発明の詳細な説明】
【技術分野】
【０００１】
本発明は、汚染された空気を浄化する際に使用される電気集塵装置で特に極板部を上方からの洗浄ノズルにより洗浄水を散布することで洗浄を行うものに関して、洗浄ノズルの汚れや詰まりの確認およびメンテナンスを容易に行えるものに関するものである。
【背景技術】
【０００２】
従来、この種の電気集塵装置は、極板部上方に設けられた多数の洗浄ノズルから噴霧される洗浄水により、極板部が洗浄され電気集塵装置の長期使用を可能にしているものが知られている（例えば、特許文献１、２参照）。
【０００３】
図１０は、前記特許文献１に記載された従来の乾式電気集塵機用洗浄装置を示すものである。図１０において、乾式電気集塵機１０１の上部および側面部に極板を洗浄する洗浄ノズル１０２を乾式電気集塵機１０１の内部に備え（特に上部には多数の洗浄ノズルを配置し）、極板の洗浄を行うことで長期使用を可能とする構成をしていた。
【先行技術文献】
【特許文献】
【０００４】
【特許文献１】特開平１０‐１６５８４０号公報
【特許文献２】特開２００２‐１１９８８９号公報
【発明の概要】
【発明が解決しようとする課題】
【０００５】
このような、従来の洗浄ノズルを配置した電気集塵装置では、洗浄ノズルは電気集塵装置の内部にあり、噴出し部は極板に向けて配置されているため、洗浄ノズルのスケール汚れおよび粒子汚れ、ノズル詰まりを作業者が外部から確認しにくく、洗浄ノズルの数も膨大であり、メンテナンスも非常に困難である、そして洗浄ノズルの詰まりを見落とすことで極板の洗浄性の粗悪化から捕集性能の低下を引き起こしてしまう恐れがあった。
【０００６】
本発明は、上記従来の課題を解決するものであり、帯電手段および集塵手段を上部から観察する際に洗浄ノズルの詰まり確認を容易に行え、洗浄ノズルの不良が原因による洗浄性劣化および捕集性能低下を発生させない電気集塵装置を提供することを目的とする。
【課題を解決するための手段】
【０００７】
そして、この目的を達成するために、本発明は、放電電極と接地電極で構成する帯電手段と、荷電極板と集塵電極板で構成する集塵手段とを水平方向に風上側から順番に配置した本体と、前記本体の上部で一辺を軸として開閉自在に構成した天板部分と、前記天板部分の裏面に配置して前記荷電極板と前記集塵電極板の面を洗う洗浄手段と、前記本体側から前記洗状手段に水を輸送する輸送管を備え、前記洗浄手段は対向する前記荷電極板と前記集塵電極板の面に水を噴射する複数の洗浄ノズルと、前記洗浄ノズルへ水を供給する枝配管と、前記枝配管へ水を配水する主配管を備え、前記主配管は前記輸送管に継ぎ手を介して回動自在に接続され、前記天板部分の開閉に伴って前記洗浄手段も回動する構成を備えたものであり、これにより所期の目的を達成するものである。
【発明の効果】
【０００８】
本発明の請求項１記載の電気集塵装置は、放電電極と接地電極で構成する帯電手段と、荷電極板と集塵電極板で構成する集塵手段とを水平方向に風上側から順番に配置した本体と、前記本体の上部で一辺を軸として開閉自在に構成した天板部分と、前記天板部分の裏面に配置して前記荷電極板と前記集塵電極板の面を洗う洗浄手段と、前記本体側から前記洗状手段に水を輸送する輸送管を備え、前記洗浄手段は、対向する前記荷電極板と前記集塵電極板の面に水を噴射する複数の洗浄ノズルと、前記洗浄ノズルへ水を供給する枝配管と、前記枝配管へ水を配水する主配管を備え、前記主配管は前記輸送管に継ぎ手を介して回動自在に接続され、前記天板部分の開閉に伴って前記洗浄手段も回動する構成を有する。
【０００９】
これにより、電気集塵装置の天板部分と洗浄手段が一体となり天板部分の開閉に伴って洗浄手段も可動する構造をとっているので、作業者は天板部分を開けるだけで洗浄ノズルの噴出し部と対面でき、洗浄ノズルの汚れや詰まりが容易に確認できる。また洗浄手段のメンテナンスも容易に行える。また、天板部分を開けるのみで枝配管と洗浄ノズルが帯電手段と集塵手段の上方から離れるので、作業者は真上から帯電手段や集塵手段を障害物が無く観察でき、極板のメンテナンスもできるようになる。つまり、天板部分を開けるだけで洗浄手段、帯電手段および集塵手段と多くの部品のメンテナンスを可能にし、汚れが蓄積することによる捕集性能低下を防ぎ、高い捕集性能を持続させるという効果を奏する。
【図面の簡単な説明】
【００１０】
【図１】本発明の電気集塵装置の構成図
【図２】本発明の実施の形態の洗浄手段の構成拡大図
【図３】本発明の実施の形態の洗浄手段の回動構成図
【図４】本発明の実施の形態の天板部分を閉じた図
【図５】本発明の実施の形態の天板部分を開けた図
【図６】本発明の実施の形態の詰まりに対して特徴のある洗浄ノズルの構成図
【図７】本発明の実施の形態の詰まりに対して特徴のある洗浄ノズルを有した洗浄手段および天板部分を開けた図
【図８】本発明の実施の形態の詰まりに対して特徴のある接続部品の構成図
【図９】本発明の実施の形態の詰まりに対して特徴のある接続部品を有した洗浄手段と天板部分を開けた図
【図１０】従来の乾式電気集塵機洗浄装置の構成図
【発明を実施するための形態】
【００１１】
本発明の請求項１記載の電気集塵装置は、電電極と接地電極で構成する帯電手段と、荷電極板と集塵電極板で構成する集塵手段とを水平方向に風上側から順番に配置した本体と、前記本体の上部で一辺を軸として開閉自在に構成した天板部分と、前記天板部分の裏面に配置して前記荷電極板と前記集塵電極板の面を洗う洗浄手段と、前記本体側から前記洗状手段に水を輸送する輸送管を備え、前記洗浄手段は、対向する前記荷電極板と前記集塵電極板の面に水を噴射する複数の洗浄ノズルと、前記洗浄ノズルへ水を供給する枝配管と、前記枝配管へ水を配水する主配管を備え、前記主配管は前記輸送管に継ぎ手を介して回動自在に接続され、前記天板部分の開閉に伴って前記洗浄手段も回動する構成を有する。
【００１２】
これにより、電気集塵装置の天板部分と洗浄手段が一体となり天板部分の開閉に伴って洗浄手段も可動する構造をとっているので、作業者は天板部分を開けるだけで洗浄ノズルの噴出し部と対面でき、洗浄ノズルの汚れや詰まりが容易に確認できる。また洗浄手段のメンテナンスも容易に行える。さらに、天板部分を開けるだけで枝配管と洗浄ノズルが帯電手段と集塵手段の上方から離れるので、作業者は真上から帯電手段や集塵手段を障害物無く観察でき、極板のメンテナンスもできるようになる。つまり、天板部分を開けるだけで洗浄手段、帯電手段および集塵手段と多くの部品のメンテナンスを可能にし、汚れが蓄積することによる捕集性能低下を防ぎ、高い捕集性能を持続させるという効果を奏する。
【００１３】
また、本発明の請求項２記載の洗浄ノズルは、噴出し部、側面部、ネジ部からなり、前記側面部内側には噴出し部への流路から側面部外側へと延びる流路を設け、その先に洗浄ノズル内部の圧力増大によって外側に動き、洗浄ノズル側面部の外側に先が突出するピストンを有する。
【００１４】
これにより、洗浄ノズルに詰まりが発生した場合、洗浄ノズル内部の圧力増大からピストンの先が洗浄ノズルの側面部外側に突出するので、作業者が天板部を開け洗浄ノズルを正面から観察するだけで側面部の突起が確認でき、洗浄ノズルの詰まりを容易に判断できる。
【００１５】
また、本発明の請求項３記載の洗浄手段は、洗浄ノズルと枝配管の間に内部を目視できる接続部品を設けた構成を有する。
【００１６】
これにより、洗浄ノズルに詰まりが生じた際には、洗浄水散布停止後に洗浄ノズルと接続部品の内部に洗浄水が残留する。つまり、作業者は天板部分を開け接続部分を正面から洗浄水の残留を確認するだけで洗浄ノズルの詰まりを容易に判断できる。
【００１７】
以下、本発明の実施の形態について図面を参照しながら説明する。
【００１８】
（実施の形態１）
図１に示すように、電気集塵装置の本体１は箱状で対向する面のそれぞれにダクト２を接続され、ダクト２を結ぶ風路に帯電手段３と集塵手段４を水平方向に風上から順番に配置している。帯電手段３は、放電電極５と接地電極６で構成し、集塵手段４は荷電極板７と集塵電極板８で構成しており、放電電極５と接地電極６および荷電極板７と集塵電極板８は一定の間隔を設けて交互に配列した構造をとっている。放電電極５、接地電極６、荷電極板７、集塵電極板８は導電性の金属、好ましくはＳＵＳからなる。電機集塵装置の本体１の天板部分９は開閉可動部品１０（例えば丁番）を軸（奥）として（手前から）開閉可能な構造をしている。
【００１９】
また、帯電手段３および集塵手段４の上方の天板部分９裏面には放電電極５と接地電極６および荷電極板７と集塵電極板８の対向する面を洗う洗浄手段１１が設けられている。
【００２０】
さらに図２において、洗浄手段１１の構造を詳細に述べる。洗浄手段１１は、対向する荷電極板７と集塵電極板８の面に水を噴射する複数の洗浄ノズル１４と、洗浄ノズル１４へ水を供給する枝配管１３と、枝配管１３へ水を配水する主配管１２と輸送管１８を備えている。洗浄ノズル１４は枝配管１３と接続するネジ部１５、側面部１６および洗浄水を散布する噴出し部１７からなり、樹脂または金属、好ましくはＳＵＳからなる。
【００２１】
図３のように主配管１２は、本体側の輸送管１８に継ぎ手１９を介して接続されている。継ぎ手１９は、主配管１２が輸送管１８に対して回動する構造をとる。主配管１２は、天板部分９の開閉と同時に回動できる位置に固定し、枝配管１３は、主配管１２から放電電極５と接地電極６および荷電極板７と集塵電極板８と垂直な方向に延設して、天板部分９に固定し、洗浄ノズル１４は、枝配管１３と一体となった構造をしている。言い換えると、枝配管１３は、放電電極５と接地電極６および荷電極板７と集塵電極板８の上方を横切るように配置されている。
【００２２】
そして、図４のように天板部分９が閉じている場合（電気集塵装置が捕集、洗浄と乾燥を行う際）には、枝配管１３は放電電極５と接地電極６および荷電極板７と集塵電極板８に対して垂直かつ水平方向を向き、洗浄ノズル１４は鉛直下向きの状態を取り、噴出し部１７は極板側を向くように配置される。また、図５のように天板部分９を開けた場合（メンテナンスの際）には開閉可動部品１０に伴って継ぎ手１９部分で主配管１２も回動し、枝配管１３は主配管１２の回動に伴って可動して鉛直方向上向きになる。このようにすると、開閉可動部品１０と主配管１２を奥側に配置したときに、洗浄ノズル１４の噴出し部１７は、枝配管１３の可動に伴って、手前側に向けるように配置できる。
【００２３】
上記構成において、電気集塵時には帯電手段３および集塵手段４に電圧を印加し、送風機により汚染空気をダクト２から本体１に流入させる。流入した汚染空気は帯電手段３の放電電極５からのコロナ放電により汚染空気中の粒子は電荷を帯びる。その後電荷を帯びた粒子は集塵手段４の荷電極板７と集塵電極板８間の電界空間を極板方向に移動し、集塵電極板８に付着する。このようにして、粒子が集塵電極板８に付着することで汚染空気は清浄される。集塵を行っている間、洗浄ノズル１４からの洗浄水の噴射は停止している。一方、集塵電極板８に捕集し堆積した粒子を洗浄する際は、帯電手段３と集塵手段４への電圧印加と送風を止め、天板部分側の主配管１２を通り枝配管１３へと輸送された洗浄水を洗浄ノズル１４から散布することで集塵電極板８上に流し、堆積した粒子汚れを落とす。同様の洗浄方法で、放電電極５と接地電極６および荷電極板７の洗浄も可能である。その後洗浄ノズル１４からの洗浄水を停止し、送風して乾燥させることで極板に付着した汚れを除去し、再び集塵できるようになる。一般に放電電極５と接地電極６の極板間に粒子汚れが堆積すると堆積物が抵抗となってコロナ放電が微弱化する。また荷電極板７と集塵電極板８の極板間に粒子汚れが堆積すると極板間で電圧降下が生じ電界強度の低下や捕集した粒子が再飛散などで捕集性能が低下してしまうが、極板の洗浄を行うことで捕集性能低下を防ぐことが出来る。
【００２４】
一般的に、集塵、洗浄と乾燥のサイクルを長期的に行うと洗浄ノズル１４は洗浄水の噴射と停止を何度も繰り返し、洗浄水に含まれる塩分がスケールとなって析出することがある。また洗浄水の供給とともに流れてくる粗大粒子や集塵中に噴出し部１７から流入する粒子などによりノズル詰まりが生じてしまう。そのため定期的な洗浄ノズル１４のメンテナンスが必要となってくる。
【００２５】
図５のように、本体１の天板部分９と洗浄手段１１が一体となり天板部分９の開閉に伴って洗浄手段１１も可動する構造をとっているので、作業者は天板部分９を開けるだけで洗浄ノズル１４の噴出し部１７と対面でき、洗浄ノズル１４の汚れや詰まりが容易に確認できる。また洗浄手段１１のメンテナンスも容易に行える。さらに、天板部分９を開けるのみで枝配管１３と洗浄ノズル１４が帯電手段３と集塵手段４の上方から離れるので、作業者は真上から帯電手段３や集塵手段４を障害物無く観察でき、極板のメンテナンスもできるようになる。
【００２６】
さらに、図６のように、洗浄ノズル１４の側面部１６内側には噴出し部への流路２０から側面部外側へと延びる流路２１を設け、その先に洗浄ノズル１４内部の圧力増大によって外側に動き、側面部の外側に先が突出するピストン２２（例えば、ある圧力値以上で破損する薄いランナーや突起物でピストンを接着または固定する、ある圧力値以上で収縮する高分子をピストンより外側に備える）を有する洗浄ノズル１４を用いる。これにより図７のように洗浄ノズル１４に詰まりが発生した場合、洗浄ノズル１４内部の圧力増大からピストン２２の先が洗浄ノズル１４の側面部１６外側に突出するので、作業者が天板部分９を開け洗浄ノズル１４を正面から観察するだけでピストン２２の突起が確認でき、洗浄ノズル１４の詰まりを容易に判断できる。
【００２７】
また図８のように、洗浄ノズル１４と枝配管１３の間に透明な樹脂で構成した接続部品２３を設け、洗浄ノズル１４と枝配管１３間の内部が確認できるものを備えた洗浄手段１１を用いる。この時、図９のように鉛直方向からある角度θを持った位置で止めることで、洗浄ノズル１４に詰まりが生じた際には、洗浄水散布停止後に洗浄ノズル１４と接続部品２３の内部に洗浄水が残留する。つまり、作業者は天板部分９を開け接続部品２３を観察するだけで洗浄ノズル１４の詰まりを容易に判断できる。
【産業上の利用可能性】
【００２８】
本発明では、洗浄手段の天板部分側の主配管は回動する継ぎ手で天板部分の開閉に合わせて回動する構造とし、前記枝配管および前記洗浄ノズルは天板部分と一体化し、前記天板部分の開閉に伴って前記洗浄手段も開閉する構成を備えたものであり、汚染された空気を浄化する際に使用される電気集塵装置において、洗浄手段と極板のメンテナンスを容易にしたものとして有用である。
【符号の説明】
【００２９】
１  本体
２  ダクト
３  帯電手段
４  集塵手段
５  放電電極
６  接地電極
７  荷電極板
８  集塵電極板
９  天板部分
１０  開閉可動部品
１１  洗浄手段
１２  主配管
１３  枝配管
１４  洗浄ノズル
１５  ネジ部
１６  側面部
１７  噴出し部
１８  輸送管
１９  継ぎ手
２０  噴出し部への流路
２１  側面部外側へと延びる流路
２２  ピストン
２３  接続部品
１０１  乾式電気集塵機
１０２  洗浄ノズル
【図１】
2016059861.tif 000003
【図２】
2016059861.tif 000004
【図３】
2016059861.tif 000005
【図４】
2016059861.tif 000006
【図５】
2016059861.tif 000007
【図６】
2016059861.tif 000008
【図７】
2016059861.tif 000009
【図８】
2016059861.tif 000010
【図９】
2016059861.tif 000011
【図１０】
2016059861.tif 000012